(57)【要約】【課題】室内における冷房負荷の軽減と、居室空間の生活ポイントにおける照度確保とを図る。【解決手段】居室空間１を形成する建物の窓開口部１ａの内側に昇降自在に配設され、所定の透光性能をもつ遮光スクリーン４と、遮光スクリーン４を昇降させるスクリーン駆動手段と、居室空間１内であって窓開口部１ａから居室空間１内に侵入する日射の光量を検知可能な箇所に設置された日射センサ７と、居室空間１内の生活ポイントに設置された照度センサ９と、日射センサ７の検知光量及び照度センサ９の検知照度に基づいて、スクリーン駆動手段の駆動制御と居室空間１内に設置された照明器具１０の少なくとも点灯制御とが可能な制御手段１１とを備えている。【選択図】        図１
2005188137.tif 000002
【特許請求の範囲】
【請求項１】
居室空間を形成する建物の窓開口部の内側に昇降自在に配設され、所定の透光性能をもつ遮光スクリーンと、
前記遮光スクリーンを昇降させるスクリーン駆動手段と、
前記居室空間内であって前記窓開口部から前記居室空間内に侵入する日射の光量を検知可能な箇所に設置された日射センサと、
前記居室空間内の生活ポイントに設置された照度センサと、
前記日射センサの検知光量及び前記照度センサの検知照度に基づいて、前記スクリーン駆動手段の駆動制御と前記居室空間内に設置された照明器具の少なくとも点灯制御とが可能な制御手段とを備えていることを特徴とする窓用スクリーン装置。
【請求項２】
前記制御手段は、前記検知照度が予め設定された設定照度以下又は該設定照度未満であるときは前記照明器具が点灯するように該照明器具を点灯制御しうるように構成されていることを特徴とする請求項１記載の窓用スクリーン装置。
【請求項３】
前記制御手段は、前記検知光量が予め設定された設定光量を超えるとき又は該設定光量以上であるときは前記遮光スクリーンが最下位置まで下降して前記窓開口部を全閉するように、前記スクリーン駆動手段を駆動制御しうるように構成されていることを特徴とする請求項１又は２記載の窓用スクリーン装置。
【請求項４】
前記日射センサは、前記遮光スクリーンよりも前記居室空間側であって、直射日光が当たる箇所に設置されていることを特徴とする請求項１、２又は３記載の窓用スクリーン装置。
【請求項５】
前記窓開口部から前記居室空間内へ侵入する日射を遮ることを優先する遮光優先の運転モードを選択する遮光優先スイッチと、該窓開口部から該居室空間内へ日射を入れることを優先する採光優先の運転モードを選択する採光優先スイッチとを具備する操作パネルをさらに備え、
前記制御手段は、前記操作パネルからの操作信号に応じて、前記検知光量及び前記検知照度に基づく前記スクリーン駆動手段の駆動制御の仕方を選択的に切り換えるように構成されていることを特徴とする請求項１、２、３又は４記載の窓用スクリーン装置。
【請求項６】
前記制御手段は、前記遮光優先の運転モードが選択された場合、前記窓開口部から前記居室空間内へ侵入する直射日光が無いときは最大で該窓開口部を全開させるまで前記遮光スクリーンが上昇する一方、該窓開口部から該居室空間内へ侵入する直射日光が有るときは該直射日光を遮ることができる位置まで該遮光スクリーンが下降するように、前記スクリーン駆動手段を駆動制御しうるように構成されていることを特徴とする請求項５記載の窓用スクリーン装置。
【請求項７】
前記制御手段は、前記検知光量が予め設定された第１設定光量以下又は該第１設定光量未満であるときは前記遮光スクリーンが所定量上昇する一方、該検知光量が該第１設定光量よりも大きい値に予め設定された第２設定光量を超えるとき又は該第２設定光量以上であるときは該遮光スクリーンが所定量下降するように、前記スクリーン駆動手段を駆動制御することを特徴とする請求項６記載の窓用スクリーン装置。
【請求項８】
前記制御手段は、前記採光優先の運転モードが選択された場合、前記居室空間内の室内照度が所定値に達していないときは最大で前記窓開口部を全開させるまで前記遮光スクリーンが上昇する一方、該室内照度が所定値に達しているときは最大で該窓開口部を全閉させるまで前記遮光スクリーンが下降するように、前記スクリーン駆動手段を駆動制御しうるように構成されていることを特徴とする請求項５、６又は７記載の窓用スクリーン装置。
【請求項９】
前記制御手段は、前記検知照度が予め設定された第１設定照度以下又は該第１設定照度未満であるときは前記遮光スクリーンが所定量上昇する一方、該検知照度が該第１設定照度よりも大きい値に予め設定された第２設定照度を超えるとき又は該第２設定照度以上でかつ前記検知光量が予め設定された前記第２設定光量を超えるとき又は該第２設定光量以上であるときは該遮光スクリーンが所定量下降するように、前記スクリーン駆動手段を駆動制御することを特徴とする請求項８記載の窓用スクリーン装置。
【請求項１０】
前記制御手段は、所定量上昇又は下降した前記遮光スクリーンがその上昇又は下降した位置を維持しつつ所定時間だけ待機する待機状態となるようなタイマー機能を備えていることを特徴とする請求項７又は９記載の窓用スクリーン装置。
【発明の詳細な説明】
【技術分野】
【０００１】
本発明は、建物の窓から室内へ差し込む日射量を自動的に調節可能な窓用スクリーン装置に関する。本発明に係る窓用スクリーン装置は一般住宅用の窓ガラスに好適に適用することができる。
【背景技術】
【０００２】
従来、建物の窓から室内へ差し込む日射を自動的に遮ることのできる窓用遮光装置として、電動ブラインドの開閉制御装置が知られている（例えば、特許文献１参照）。
【０００３】
この装置は、窓の内側に配設されモータにより昇降される電動ブラインドと、窓から室内へ差し込む日射の有無検出用の日射センサと、日射センサからの信号に応じて前記モータの回転方向及び回転量を制御するモータ制御部とを備えている。この装置では、モータ制御部が、日射センサからの信号に基づいてモータの回転を制御することにより、電動ブラインドを所定量昇降させる。これにより、窓から室内へ差し込む日射の有無や角度に応じて窓面の開放度合いを調節することができる。したがって、窓から室内へ差し込む日射をブラインドで常に遮ることにより、良好な室内環境を維持することができるとともに、特に夏期における冷房時に冷房負荷の低減を図ることが可能となる。
【特許文献１】特開平６−２５７３５７号公報（第２−３頁）
【発明の開示】
【発明が解決しようとする課題】
【０００４】
しかしながら、前述した従来の窓用遮光装置は、日射センサの信号に基づいてブラインドの開閉位置を調節することにより、窓から室内へ差し込む日射を遮り、これをもって室内環境を改善しようとするものである。
【０００５】
すなわち、従来の窓用遮光装置では、居室空間の生活ポイントにおける照度については何ら考慮されていない。このため、ブラインドにより日射が遮られることにより生活ポイントでの照度が不足し、かえって室内環境が悪くなる場合もありうる。
【０００６】
本発明は上記実情に鑑みてなされたものであり、室内における冷房負荷の軽減を図ることができるとともに、居室空間の生活ポイントにおける照度を良好に維持することができる窓用スクリーン装置を提供することを解決すべき技術課題とするものである。
【課題を解決するための手段】
【０００７】
上記課題を解決する本発明の窓用スクリーン装置は、居室空間を形成する建物の窓開口部の内側に昇降自在に配設され、所定の透光性能をもつ遮光スクリーンと、前記遮光スクリーンを昇降させるスクリーン駆動手段と、前記居室空間内であって前記窓開口部から前記居室空間内に侵入する日射の光量を検知可能な箇所に設置された日射センサと、前記居室空間内の生活ポイントに設置された照度センサと、前記日射センサの検知光量及び前記照度センサの検知照度に基づいて、前記スクリーン駆動手段の駆動制御と前記居室空間内に設置された照明器具の少なくとも点灯制御とが可能な制御手段とを備えていることを特徴とするものである。
【０００８】
好適な態様において、前記制御手段は、前記検知照度が予め設定された設定照度以下又は該設定照度未満であるときは前記照明器具が点灯するように該照明器具を点灯制御しうるように構成されている。
【０００９】
好適な態様において、前記制御手段は、前記検知光量が予め設定された設定光量を超えるとき又は該設定光量以上であるときは前記遮光スクリーンが最下位置まで下降して前記窓開口部を全閉するように、前記スクリーン駆動手段を駆動制御しうるように構成されている。
【００１０】
好適な態様において、前記日射センサは、前記遮光スクリーンよりも前記居室空間側であって、直射日光が当たる箇所に設置されている。
【００１１】
本発明の窓用スクリーン装置は、好適な態様において、前記窓開口部から前記居室空間内へ侵入する日射を遮ることを優先する遮光優先の運転モードを選択する遮光優先スイッチと、該窓開口部から該居室空間内へ日射を入れることを優先する採光優先の運転モードを選択する採光優先スイッチとを具備する操作パネルさらにを備え、前記制御手段は、前記操作パネルからの操作信号に応じて、前記検知光量及び前記検知照度に基づく前記スクリーン駆動手段の駆動制御の仕方を選択的に切り換えるように構成されている。
【００１２】
好適な態様において、前記制御手段は、前記遮光優先の運転モードが選択された場合、前記窓開口部から前記居室空間内へ侵入する直射日光が無いときは最大で該窓開口部を全開させるまで前記遮光スクリーンが上昇する一方、該窓開口部から該居室空間内へ侵入する直射日光が有るときは該直射日光を遮ることができる位置まで該遮光スクリーンが下降するように、前記スクリーン駆動手段を駆動制御しうるように構成されている。このとき、好適な態様において、前記制御手段は、前記検知光量が予め設定された第１設定光量以下又は該第１設定光量未満であるときは前記遮光スクリーンが所定量上昇する一方、該検知光量が該第１設定光量よりも大きい値に予め設定された第２設定光量を超えるとき又は該第２設定光量以上であるときは該遮光スクリーンが所定量下降するように、前記スクリーン駆動手段を駆動制御する。
【００１３】
好適な態様において、前記制御手段は、前記採光優先の運転モードが選択された場合、前記居室空間内の室内照度が所定値に達していないときは最大で前記窓開口部を全開させるまで前記遮光スクリーンが上昇する一方、該室内照度が所定値に達しているときは最大で該窓開口部を全閉させるまで前記遮光スクリーンが下降するように、前記スクリーン駆動手段を駆動制御しうるように構成されている。このとき、好適な態様において、前記制御手段は、前記検知照度が予め設定された第１設定照度以下又は該第１設定照度未満であるときは前記遮光スクリーンが所定量上昇する一方、該検知照度が該第１設定照度よりも大きい値に予め設定された第２設定照度を超えるとき又は該第２設定照度以上でかつ前記検知光量が予め設定された前記第２設定光量を超えるとき又は該第２設定光量以上であるときは該遮光スクリーンが所定量下降するように、前記スクリーン駆動手段を駆動制御する。
【００１４】
好適な態様において、前記制御手段は、所定量上昇又は下降した前記遮光スクリーンがその上昇又は下降した位置を維持しつつ所定時間だけ待機する待機状態となるようなタイマー機能を備えている。
【発明の効果】
【００１５】
本発明に係る窓スクリーン装置によれば、制御手段が、日射センサの検知光量及び照度センサの検知照度に基づいて、遮光スクリーンの駆動制御と照明器具の点灯制御とを行うことにより、窓開口部から居室空間に侵入する日射量に応じて遮光スクリーンの開閉状態を適切に調節することができるとともに、必要に応じて照明器具により室内照度を補完することができる。
【００１６】
したがって、直射日光の侵入による室内温度の上昇を抑えることにより冷房負荷の軽減を図ることができるとともに、居室空間の生活ポイントにおける必要な照度を良好に維持することができる。
【発明を実施するための最良の形態】
【００１７】
以下、本発明の実施の形態について図面を参照しつつ具体的に説明する。
【００１８】
図１〜図３に示す本実施形態は、本発明に係る窓用スクリーン装置を一般住宅の窓に適用したものである。図１は、本実施形態の窓用スクリーン装置の概略構成を建物の一部とともに示した断面図である。
【００１９】
図１に示されるように、居室空間１を形成する建物の窓開口部１ａには開口枠体としての断熱サッシ２が取り付けられおり、この断熱サッシ２内に２重窓構造で断熱機能をもつ高機能ガラスよりなる室外障子３が嵌め込まれている。
【００２０】
そして、窓開口部１ａの内側に遮光スクリーン４が昇降自在に配設されている。この遮光スクリーン４は、高い断熱機能をもち、かつ、７０％程度の遮光率（３０％程度の透光率）をもつハニカム構造で蛇腹式のポリエステル製不織布よりなるものである。遮光スクリーン４は、天井部５付近に取り付けられたボックス６内に収納可能とされるとともに、図示しないスクリーン駆動手段により蛇腹構造の伸縮により昇降可能とされている。具体的には、このスクリーン駆動手段は吊り下げ紐とこの吊り下げ紐を巻き取り・巻き戻し可能なモータ駆動の巻き取り装置とにより構成され、モータを正転・逆転することにより、遮光スクリーン４を昇降させる。こうして遮光スクリーン４は、自己の昇降により窓開口部１ａを開閉可能であり、最下位置まで下降した全閉状態では窓開口部１ａを完全に閉鎖することができるようになっている。
【００２１】
窓開口部１ａ近傍の居室空間１内であって窓開口部１ａから居室空間１内に侵入する日射の光量を最も検知し易い適切な箇所、具体的には遮光スクリーン４よりも居室空間１側であって直射日光が当たる箇所に、フォトダイオード及び電流値検出器よりなる日射センサ７が設置されている。
【００２２】
また、居室空間１内の生活ポイント（居住者の生活中心となる場所の照度を最も検知し易い箇所）、具体的には居室空間１の略中央部に配設されたテーブル８の上に、フォトダイオード、フィルタ及び電流値検出器よりなる照度センサ９が配設されている。また、この居室空間１の天井部５の略中央部には照明器具１０が取り付けられており、居室空間１の生活ポイントはこの照明器具１０の点灯により適切な室内照度が確保されるようになっている。
【００２３】
そして、この窓用スクリーン装置は、前記スクリーン駆動手段の駆動制御と照明器具１０の点灯制御とが可能な制御手段１１を備えている。この制御手段１１は、ＣＰＵ、ＲＯＭ、ＲＡＭ及び比較演算機能等を備えている。また、この制御手段１１には、前記日射センサ７の検知信号と前記照度センサ９の検知信号とが入力されるようになっている。
【００２４】
こうして制御手段１１は、日射センサ７の検知光量及び照度センサ９の検知照度に基づいて、スクリーン駆動手段の駆動制御及び照明器具１０の点灯制御が可能となされており、これら検知光量及び検知照度に基づいて遮光スクリーン４の所定量の昇降と照度センサ９の点灯とを自動制御しうるように構成されている。
【００２５】
また、この窓用スクリーン装置は、運転モード切換用の操作パネル１２を備えている。この操作パネル１２は、遮光優先スイッチ１３と、採光優先スイッチ１４と、停止スイッチ１５と、スクリーン上スイッチ１６ａと、スクリーン下スイッチ１６ｂと、照明器具オンオフスイッチ１７とを有している。この操作パネル１２は制御手段１１に接続されており、各スイッチ１３、１４、１５、１６ａ、１６ｂ及び１７からの切換信号は制御手段１１に入力されるようになっている。制御手段１１は、この操作パネル１２からの操作信号に応じて、前記検知光量及び前記検知照度に基づく前記スクリーン駆動手段の駆動制御の仕方を、遮光優先の運転モードと採光優先モードとで選択的に切り換えるように構成されている。そして、居住者は操作パネル１２のスイッチ操作により下記表１に示されるような運転モードを選択することができるようになっている。
【００２６】
前記遮光優先スイッチ１３は、窓開口部１ａから居室空間１内へ侵入する日射を遮ることを優先する遮光優先の運転モードを選択するためのスイッチである。この遮光優先の運転モードでは、居室空間１内での日射を遮ることを優先して遮光スクリーン４が開閉制御されることから、特に夏期などに冷房負荷を低減させるべく遮光優先モードを有効利用することができる。
【００２７】
前記採光優先スイッチ１４は、窓開口部１ａから居室空間１内へ日射を入れることを優先する採光優先の運転モードを選択するためのスイッチである。この採光優先の運転モードでは、窓開口部１ａから居室空間１内に侵入する日射により室内照度を確保することを優先して遮光スクリーン４が開閉制御されることから、特に冬期などの採光を重視したいときなどに採光優先モードを有効利用することができる。
【００２８】
前記停止スイッチ１５は、遮光優先の運転モード又は採光優先の運転モードで運転しているこの窓スクリーン装置の作動を停止させるためのスイッチである。
【００２９】
前記スクリーン上スイッチ１６ａは、運転モードが遮光優先モード、採光優先モード又は停止モードにあるときに、前記スクリーン駆動手段を駆動させて遮光スクリーン４を任意に上昇させるためのスイッチである。同じく、前記スクリーン下スイッチ１６ｂは、運転モードが遮光優先モード、採光優先モード又は停止モードにあるときに、前記スクリーン駆動手段を駆動させて遮光スクリーン４を任意に下降させるためのスイッチである。なお、運転モードが遮光優先モード又は採光優先モードにあるときは、遮光スクリーン４の昇降は基本的には制御手段１１により自動制御されるのだが、この遮光優先モード又は採光優先モード中にスクリーン上スイッチ１６ａ又はスクリーン下スイッチ１６ｂが押された場合は、このスクリーン上スイッチ１６ａ又はスクリーン下スイッチ１６ｂの操作信号を受けた制御手段１１がスクリーン駆動手段を駆動させて遮光スクリーン４を任意に昇降させる。
【００３０】
前記照明器具オンオフスイッチ１６は、運転モードが遮光優先モード、採光優先モード又は停止モードにあるときに、照明器具１０を点灯／消灯させるためのスイッチである。なお、運転モードが遮光優先モード又は採光優先モードにあるときは、照明器具１０は基本的には制御手段１１により点灯制御されるのだが、この遮光優先モード又は採光優先モード中に照明器具オンオフスイッチ１６が押された場合は、この照明器具オンオフスイッチ１６の操作信号を受けた制御手段１１が照明器具１０を点灯／消灯させる。
【００３１】
【表１】
2005188137.tif 000003
【００３２】
そして、制御手段１１は、前記遮光優先の運転モードが選択された場合、窓開口部１ａから居室空間１内へ侵入する直射日光が無いときは最大で窓開口部１ａを全開させるまで遮光スクリーン４が上昇する一方、窓開口部１ａから居室空間１内へ侵入する直射日光が有るときは該直射日光を遮ることができる位置まで遮光スクリーン４が下降するように、前記スクリーン駆動手段を駆動制御しうるように構成されている。
【００３３】
具体的には、制御手段１１は、日射センサ７の検知光量が予め設定された第１設定光量（Ｐ１）未満（又は第１設定光量以下）であるときは遮光スクリーン４が所定の１ステップ分だけ上昇する一方、該検知光量が第１設定光量（Ｐ１）よりも大きい値に予め設定された第２設定光量（Ｐ２、Ｐ１＜Ｐ２）以上である（又は第２設定光量を超える）ときは遮光スクリーン４が前記１ステップ分だけ下降するように、前記スクリーン駆動手段を駆動制御する。
【００３４】
ここに、上記第１設定光量（Ｐ１）としては、例えば曇りの日である時の光量とすることができる。また、上記第２設定光量（Ｐ２）としては、例えば直射日光が窓開口部１ａから居室空間１内に少しでも侵入した時の光量とすることができる。
【００３５】
また、遮光スクリーン４が上昇又は下降する際の前記１ステップ分としては、全閉状態から全開状態まで上昇（又は全開状態から全閉状態まで下降）する際の遮光スクリーン４の上昇量（又は下降量）を１ストロークとした場合、例えば１／５ストロークに相当する分とすることができる。
【００３６】
また、制御手段１１は、前記採光優先の運転モードが選択された場合、居室空間１内の室内照度が所定値に達していないときは最大で窓開口部１ａを全開させるまで遮光スクリーン４が上昇する一方、該室内照度が所定値に達しているときは最大で窓開口部１ａを全閉させるまで遮光スクリーン４が下降するように、前記スクリーン駆動手段を駆動制御しうるように構成されている。
【００３７】
具体的には、制御手段１１は、照度センサ９の検知照度が予め設定された第１設定照度（Ｌ１）未満（又は第１設定照度以下）であるときは遮光スクリーン４が前記１ステップ分だけ上昇する一方、該検知照度が第１設定照度（Ｌ１）よりも大きい値に予め設定された第２設定照度（Ｌ２、Ｌ１＜Ｌ２）以上（又は第２設定照度を超えるとき）でかつ前記検知光量が予め設定された前記第２設定光量（Ｐ２）以上である（又は第２設定光量を超える）ときは遮光スクリーン４が前記１ステップ分だけ下降するように、前記スクリーン駆動手段を駆動制御する。
【００３８】
ここに、前記第１設定照度（Ｌ１）としては、例えば日常生活に充分な照度（約１０００Ｌｘ）である場合の前記生活ポイントの室内照度とすることができ、前記第２設定照度（Ｌ２）としては、例えば第１設定照度（Ｌ１）の１．５倍程度の照度（約１５００Ｌｘ）である場合の前記生活ポイントの室内照度とすることができる。
【００３９】
さらに、制御手段１１は、運転モードが前記遮光優先及び前記採光優先の何れのモードにあるときでも、照度センサ９の検知照度が予め設定された第３設定照度（Ｌ３）未満（又は第３設定照度以下）であるときは照明器具１０が点灯するように照明器具１０を点灯制御しうるように構成されている。
【００４０】
ここに、前記第３設定照度（Ｌ３）としては、例えばもう少し明るさが欲しいと感じる照度（約８００Ｌｘ）である場合の前記生活ポイントの室内照度とすることができる。なお、この第３設定照度（Ｌ３）は、前記第１設定照度（Ｌ１）よりも小さい値とすることができる（Ｌ３＜Ｌ１）。
【００４１】
加えて、制御手段１１は、運転モードが前記遮光優先及び前記採光優先の何れのモードにあるときでも、日射センサ７の検知光量が予め設定された第３設定光量（Ｐ３）以下（又は第３設定光量未満）であるときは遮光スクリーン４が前記最下位置まで下降して窓開口部１ａを全閉するように、前記スクリーン駆動手段を駆動制御しうるように構成されている。
【００４２】
ここに、前記第３設定光量（Ｐ３）としては、例えば太陽が沈み外光がなくなる夕暮れ時における光量とすることができる。なお、この第３設定光量（Ｐ３）と前記第１設定光量（Ｐ１）との関係は、Ｐ３はＰ１よりも十分小さい値とすることができる（Ｐ１＞＞  Ｐ３）。
【００４３】
また、制御手段１１は、前記遮光優先又は採光優先の運転モードにある場合に、遮光スクリーン４が前記１ステップ分だけ上昇又は下降したときは、遮光スクリーンがその上昇又は下降した位置を維持しつつ所定時間だけ待機する待機状態となるようなタイマー機能を備えている。なお、この待機時間としては特に限定されず５〜１０分程度（本実施形態では１０分程度）とすることができる。
【００４４】
このように構成された窓スクリーン装置の作用について、以下説明する。例えば、夏期において、操作パネル１２において居住者により遮光優先スイッチ１３が押されて遮光優先の運転モードが選択されると、図２のフローチャートに示されるように、次のような自動運転が制御手段１１により行われる。
【００４５】
まず、制御手段１１は遮光優先スイッチ１３が押された時の日射センサ７の検知光量と第１設定光量（Ｐ１）とを比較する（Ｓ７）。
【００４６】
このとき未だ窓開口部１ａから居室空間１内へ侵入する直射日光が無いなどの理由により、検知光量が第１設定光量（Ｐ１）未満であるときは、最大で窓開口部１ａを全開させるまで遮光スクリーン４が上昇するように、該遮光スクリーン４が前記１ステップ分だけ上昇する（Ｓ８）。なお、この遮光優先スイッチ１３が押された時点で既に遮光スクリーン４が全開状態にあるときは、その状態がそのまま維持される。そして、前記１ステップ分だけ上昇した遮光スクリーン４は、その上昇した位置を維持しつつ所定時間だけ待機する待機状態とされる（Ｓ１１）。そして、待機状態の所定時間経過後に再び日射センサ７の検知光量と第１設定光量（Ｐ１）とが比較され（Ｓ７）、検知光量が依然として第１設定光量（Ｐ１）未満であるときは、遮光スクリーン４が再び前記第１ステップ分だけ上昇する（Ｓ８）。こうして、検知光量が第１設定光量（Ｐ１）に到達しない限り、遮光スクリーン４が全開状態になるまで遮光スクリーン４の前記１ステップ分の上昇が繰り返される。
【００４７】
一方、遮光優先スイッチ１３が押された時点で窓開口部１ａから居室空間１内へ侵入する直射日光が有り、日射センサ７の検知光量が第１設定光量（Ｐ１）以上であるときや、上記待機時間の経過により窓開口部１ａから居室空間１内へ直射日光が侵入するようになり該検知光量が第１設定光量（Ｐ１）以上になったときは、遮光スクリーン４の上昇はなされない。そして、このときの検知光量と第２設定光量（Ｐ２）とが比較される（Ｓ９）。このとき、検知光量が第２設定光量（Ｐ２）未満であれば、遮光スクリーン４がその時の位置を維持しつつ所定時間だけ待機する待機状態とされる（Ｓ１１）。一方、このときの検知光量が第２設定光量（Ｐ２）以上であれば、遮光スクリーン４が前記１ステップ分だけ下降する。なお、このとき既に遮光スクリーン４が全閉状態にあるときは、その状態がそのまま維持される。そして、前記１ステップ分だけ下降した遮光スクリーン４は、その下降した位置を維持しつつ所定時間だけ待機する待機状態とされる（Ｓ１１）。そして、待機状態の所定時間経過後に再び日射センサ７の検知光量と第１設定光量（Ｐ１）とが比較された後（Ｓ７）、該検知光量と第２設定光量（Ｐ２）とが比較され、検知光量が依然として第２設定光量（Ｐ２）未満であるときは、遮光スクリーン４は再び待機状態とされる。一方、このときの検知光量が第２設定光量（Ｐ２）以上であるときは、遮光スクリーン４は再び前記１ステップ分だけ下降する。こうして、検知光量が第２設定光量（Ｐ２）以上である限りは遮光スクリーン４の前記１ステップ分の下降が繰り返され、これにより遮光スクリーン４は窓開口部１ａから居室空間１内へ侵入する直射日光を完全に遮ることができる位置まで下降する。
【００４８】
このように遮光優先モードでは、窓開口部１ａから居室空間１内へ直射日光が侵入することを確実に防止することができる。このため、居室空間１内の空気が直射日光の侵入により温度上昇することを防止することができ、特に夏期などで冷房負荷を効果的に低減させることが可能となる。
【００４９】
また、この遮光優先の運転モード中に、照度センサ９の検知照度が前記第３設定照度（Ｌ３）未満になったときは、制御手段１１により照明器具１０が何時でも点灯される。これにより、窓開口部１ａが遮光スクリーン４で閉鎖されることによって、居室空間１に入り込む日射による照度確保が困難となる場合であっても、生活ポイントでの必要照度を常に確保することが可能となる。
【００５０】
さらに、この遮光優先の運転モード中に、例えば太陽が沈み外光がなくなる夕暮れ時になり、日射センサ７の検知光量が前記第３設定光量（Ｐ３）以下になったときは、遮光スクリーン４が前記最下位置まで下降して窓開口部１ａを全閉する。
【００５１】
次に、例えば、冬期において、操作パネル１２において居住者により採光優先スイッチ１４が押されて採光優先の運転モードが選択されると、図３のフローチャートに示されるように、次のような自動運転が制御手段１１により行われる。
【００５２】
まず、制御手段１１は採光優先スイッチ１４が押された時の照度センサ９の検知照度と第１設定照度（Ｌ１）とを比較する（Ｓ１）。
【００５３】
このとき、検知照度が第１設定照度（Ｌ１）未満であるときは、最大で窓開口部１ａを全開させるまで遮光スクリーン４が上昇するように、該遮光スクリーン４が前記１ステップ分だけ上昇する（Ｓ１）。なお、この採光優先スイッチ１４が押された時点で既に遮光スクリーン４が全開状態にあるときは、その状態がそのまま維持される。そして、前記１ステップ分だけ上昇した遮光スクリーン４は、その上昇した位置を維持しつつ所定時間だけ待機する待機状態とされる（Ｓ６）。そして、待機状態の所定時間経過後に再び照度センサ９の検知照度と第１設定照度（Ｌ１）とが比較され（Ｓ１）、検知照度が依然として第１設定照度（Ｌ１）未満であるときは、遮光スクリーン４が再び前記第１ステップ分だけ上昇する（Ｓ２）。こうして、検知照度が第１設定照度（Ｌ１）に到達しない限り、遮光スクリーン４が全開状態になるまで遮光スクリーン４の前記１ステップ分の上昇が繰り返される。
【００５４】
一方、採光優先スイッチ１４が押された時点で照度センサ９の検知照度が第１設定照度（Ｌ１）以上であるときや、上記待機時間の経過により該検知照度が第１設定照度（Ｌ１）以上になったときは、遮光スクリーン４の上昇はなされない。そして、このときの検知照度と第２設定照度（Ｌ２）とが比較される（Ｓ３）。このとき、検知照度が第２設定照度（Ｌ２）未満であれば、遮光スクリーン４がその時の位置を維持しつつ所定時間だけ待機する待機状態とされる（Ｓ６）。一方、このときの検知照度が第２設定照度（Ｌ２）以上であれば、制御手段１１は、日射センサ７の検知光量と第２設定光量（Ｐ２）とを比較する（Ｓ４）。そして、このときの検知光量が第２設定光量未満であれば、遮光スクリーン４がその時の位置を維持しつつ所定時間だけ待機する待機状態とされる（Ｓ６）。一方、このときの検知光量が第２設定光量（Ｐ２）以上であれば、遮光スクリーン４が前記１ステップ分だけ下降する（Ｓ５）。なお、このとき既に遮光スクリーン４が全閉状態にあるときは、その状態がそのまま維持される。そして、前記１ステップ分だけ下降した遮光スクリーン４は、その下降した位置を維持しつつ所定時間だけ待機する待機状態とされる（Ｓ６）。そして、待機状態の所定時間経過後に再びＳ１及びＳ３のステップを経過した後、日射センサ７の検知光量と第２設定光量（Ｐ２）とが比較され、このときの検知光量が第２設定光量（Ｐ２）以上であるときは、遮光スクリーン４は再び前記１ステップ分だけ下降する。こうして、検知光量が第２設定光量（Ｐ２）以上である限りは遮光スクリーン４の前記１ステップ分の下降が繰り返され、これにより遮光スクリーン４は最大で窓開口部１ａを全閉する。
【００５５】
このように採光優先モードでは、室内照度が足りない場合に窓開口部１ａから居室空間１内へ積極的に日射を取り入れることにより、窓開口部１ａからの日射により室内照度を確保することができる。
【００５６】
また、居室空間１の生活ポイントでの室内照度が充分にある場合は、遮蔽スクリーン４が窓開口部１ａを閉じるようにされている。
【００５７】
さらに、この採光優先の運転モード中に、照度センサ９の検知照度が前記第３設定照度（Ｌ３）未満になったときは、制御手段１１により照明器具１０が何時でも点灯される。これにより、遮光スクリーン４を上昇させて窓開口部１ａを全開状態とさせても窓開口部１ａから侵入する日射によっては必要最低限の室内照度を確保できない場合であっても、生活ポイントでの必要照度を常に確保することが可能となる。
【００５８】
また、この採光優先の運転モード中に、例えば太陽が沈み外光がなくなる夕暮れ時になり、日射センサ７の検知光量が前記第３設定光量（Ｐ３）以下になったときは、遮光スクリーン４が前記最下位置まで下降して窓開口部１ａを全閉する。
【００５９】
このように本実施形態の窓スクリーン装置では、遮光優先又は採光優先の運転モードにあるときに、日射センサ７及び照度センサ９の検知信号に基づき、その運転モードに応じて遮光スクリーン４の開閉を自動制御することができるので、居住者による煩わしいスクリーン操作が不要となり、常に最適な室内環境を維持しうる運転を容易に継続することができ、しかも空調負荷の低減による省エネ化にも貢献しうる。
【００６０】
また、運転モードの如何に関わらず、居住者がスクリーン上スイッチ１６ａ又はスクリーン下スイッチ１６ｂを押すことにより、遮光スクリーン４の開閉状態を自由に選択することができるので、居住者はプライバシー保護の観点等より遮光スクリーン４の開閉状態を何時でも変更することができる。
【００６１】
そして、本実施形態では、昇降により日射を遮るための遮光手段として遮光スクリーン４を採用していることから、ブラインドの羽根の角度を調節することにより日射を遮るような遮光手段と比べて、駆動機構が簡素となる。
【００６２】
なお、前述の実施形態では、制御手段１１により照明器具１０の点灯制御をする例について説明したが、日射センサ９の検知照度に基づいて照明器具１０の強度（明るさ）を調節するようにしてもよい。
【図面の簡単な説明】
【００６３】
【図１】本発明の実施形態に係るスクリーン装置の概略構成を建物の一部とともに示した断面図である。
【図２】前記実施形態に係るスクリーン装置における遮光優先モードでの動作制御を示すフローチャートである。
【図３】前記実施形態に係るスクリーン装置における採光優先モードでの動作制御を示すフローチャートである。
【符号の説明】
【００６４】
１…居室空間                      １ａ…窓開口部
３…室外障子                      ４…遮光スクリーン
７…日射センサ                    ９…照度センサ
１０…照明器具                    １１…制御手段
１２…操作パネル                  １３…遮光優先スイッチ
１４…採光優先スイッチ            １５…停止スイッチ
１６ａ…スクリーン上スイッチ      １６ｂ…スクリーン下スイッチ
【図１】
2005188137.tif 000004
【図２】
2005188137.tif 000005
【図３】
2005188137.tif 000006